(57)【要約】【課題】張出部を便鉢側方から退避させ得るよう構成された便座ボックスを提供する。【解決手段】洋風便器１の後部上面に設置された便座ボックス３に、便器側方に張り出す張出部４が設けられている。この張出部４は上下方向に回動可能となっており、要介護者が介護人の助けを借りて便器を使用するときには、張出部４を上方に起立させる。これにより、便鉢１ａの側方がオープンスペースとなるので、介護人が便器１に近づいて介護を行うことができる。【選択図】図１
2005290904.tif 000002
【特許請求の範囲】
【請求項１】
便器の側方に配置される張出部を備えた便座ボックスにおいて、該張出部は、便鉢の側辺に沿った通常位置と、該通常位置から退避した退避位置とをとりうるように設けられていることを特徴とする便座ボックス。
【請求項２】
請求項１において、該張出部は上下方向に回動可能に設けられていることを特徴とする便座ボックス。
【請求項３】
請求項２において、該張出部の上向き方向の回動範囲を規制する手段を備えたことを特徴とする便座ボックス。
【発明の詳細な説明】
【技術分野】
【０００１】
本発明は、洋風便器の後部上面に設置される便座ボックスに係り、特に便器の側方に配置される張出部を備えた便座ボックスに関するものである。
【背景技術】
【０００２】
洋風便器の後部上面に便座ボックスを設置し、この便座ボックスに便座あるいはさらに便蓋を取り付けると共に、この便座ボックス内に温水洗浄ノズル等を設置した洋風便器設備は周知である。この温水洗浄ノズルに供給する温水タンクを収容したり、あるいはスイッチ板を配置するために、便器側方に張り出す張出部を設けた便座ボックスも周知である。
【０００３】
なお、特開平９−３１６９７６号公報には、この張出部付きの便座ボックスを便器側方へ傾き出し得るように構成した便器設備が記載されている。
【特許文献１】特開平９−３１６９７６号公報
【発明の開示】
【発明が解決しようとする課題】
【０００４】
張出部を有した便座ボックスの該張出部は、洋風便器の便鉢の側方に沿うように配置される。このため、要介護者が便器を使用する際に介護人にとって張出部が邪魔になることがある。
【０００５】
なお、上記特開平９−３１６９７６号公報は、便器上面の清掃時に便座ボックスを傾動させるように構成したものであり、介護人にとっての便宜については考慮されていない。
【０００６】
本発明は、上記問題点に鑑みて創案されたものであり、張出部を便鉢側方から退避させ得るよう構成された便座ボックスを提供することを目的とする。
【課題を解決するための手段】
【０００７】
本発明の便座ボックスは、便器の側方に配置される張出部を備えた便座ボックスにおいて、該張出部は、便鉢の側辺に沿った通常位置と、該通常位置から退避した退避位置とをとりうるように設けられていることを特徴とするものである。好ましくは、この張出部は上下方向回動可能とされる。この張出部を上下方向回動可能とする場合、好ましくは、この張出部の上向き方向の回動範囲を規制する手段を備える。
【発明の効果】
【０００８】
かかる本発明の便座ボックスにあっては、張出部を洋風便器の側方位置から退避させることができるので、要介護者の便器使用時に介護人が便器に近接することができ、介護作業を楽に行うことが可能となる。
【０００９】
張出部を上下方向に回動可能とした場合には張出部の側方のスペースが小さい場合であっても、張出部を上方に回動させて便器側方から退避させることができる。
【００１０】
張出部の上向き方向の回動範囲を規制する手段を備える場合、この張出部を回転させ過ぎてこの張出部が近傍の給水管等と接触し、張出部や給水管等を破損することが防止させる。
【発明を実施するための最良の形態】
【００１１】
以下、図面を参照して実施の形態について説明する。図１は実施の形態に係るリモコン操作式機器としての温水洗浄装置を備えたトイレルーム内の斜視図であり、（ａ）図は張出部が通常位置に位置し、（ｂ）図は張出部が退避位置に位置した状態を示している。図２は張出部と便座ボックスとの連結部の縦断面図である。
【００１２】
洋風便器１の後部上面にロータンク２が設置され、このロータンク２の前面側に便座ボックス３が設置されている。この便座ボックス３は、洋風便器１の側方に張り出す張出部４を有し、この張出部４の上面にスイッチパネル５が設けられている。張出部４内には温水タンク等が設置されている。
【００１３】
便座ボックス３には、洗浄ノズル６，７の他、図示は省略するが、該温水タンクから洗浄ノズル６，７に温水を供給するためのポンプ、該ポンプからの温水を洗浄ノズル６，７のいずれかに供給するための洗浄ノズル切替弁のほか、温風乾燥ファンや便器脱臭装置等が設けられている。この便座ボックス３には、暖房便座８、便蓋９が上下方向に回動可能に取り付けられている。
【００１４】
トイレルームの壁面に設けられた止水栓１０から給水ホース１１を介して張出部４内の温水タンクへ給水可能とされている。止水栓１０は、配管１２を介してロータンク２のボールタップ（図示略）に接続されている。
【００１５】
トイレルームの壁面に設けられたコンセント１３からプラグ１４及び電源コード１５を介して温水洗浄装置等へ給電される。この実施の形態では、コード１５は張出部４に接続されているが、便座ボックス３に接続されてもよい。
【００１６】
この実施の形態にあっては、張出部４は上下方向に回動可能となっている。即ち、図２の通り、張出部４の側面から筒状の支軸２０が突設され、この支軸２０が便座ボックス３の筒状の軸受２１内に摺動自在に差し込まれている。支軸２０の先端にリング状のストッパ２２が超音波溶着等により固着されている。ストッパ２２が支軸２０から外向き鍔状に張り出すことにより、支軸２０が軸受２１から抜け出さないようになっている。
【００１７】
なお、便座ボックス３はカバーケース３ａとボトムプレート３ｂとから構成されており、ボトムプレート３ｂを取り外した状態で、上記ストッパ２２の支軸２０への固着作業を行うことができる。
【００１８】
筒状支軸２０及びリング状ストッパ２２内に温水タンクからの温水ホースや、各種ハーネス（いずれも図示略）が引き通される。符号２３，２４は、軸受２１を補強するためのリブを示す。
【００１９】
このように構成された張出部４付きの便座ボックス３にあっては、通常の便器使用時には、図１（ａ）のように張出部４を水平姿勢とし、張出部４を便鉢１ａに沿った通常位置に位置させる。この状態にあっては、便座８に座った便器使用者がスイッチパネル５上のスイッチを操作して温水洗浄装置等を使用する。
【００２０】
要介護者が介護人の助けを借りて便器を使用するときには、張出部４を図１（ｂ）のように上方に起立させる。これにより、便鉢１ａの側方がオープンスペースとなるので、介護人が便器１に近づいて介護を行うことができる。
【００２１】
なお、上記実施の形態は本発明の一例であり、本発明は上記実施の形態に限定されない。例えば、この便座ボックス３は、上記張出部４の回動範囲を規制するストッパ等の規制手段を備えていてもよい。この場合、張出部４の回動範囲は０°〜１００°とするのが好ましく、特に０°〜９０°とするのが好ましい。ここで、水平方向を０°とし、垂直上向き方向を９０°とする。これにより、張出部４を回転させ過ぎてこの張出部４が近傍の配管１２や止水栓１０等と接触し、これらが破損することが防止される。また、張出部４を水平位置とし、張出部４上面のスイッチパネル５を操作するときに張出部４に力が加わったとしても、この張出部４が下方向に回動することがないため操作が容易となる。さらに、張出部４を回動させ過ぎて、この張出部４に接続されている給水ホース１１や電源コード１５が引張られたり損傷したりすることもない。
【００２２】
張出部４を起立した場合でもスイッチパネル５のスイッチ操作は可能であるが、張出部４の水平姿勢時における横向き又は前向きの側面や底面にもスイッチパネルを設けてもよい。ただし、リモコンが設置されているときには、このように側面や底面のスイッチパネルは設けるには及ばない。
【００２３】
張出部４の回動位置を検出するセンサ等の検出手段を備え、該張出部４が倒状方向の終点位置及び／又は起立方向の終点位置にあることを該検出手段が検出したときに、温水洗浄装置が作動可能となるようにしてもよい。これにより、張出部４を起倒回動させている途中に誤ってスイッチパネル５を操作してしまったとしても、温水洗浄装置が作動することが防止される。
【００２４】
上記実施の形態では張出部４にスイッチパネル５を設けたが、張出部４にスイッチ操作部を着脱可能に設けてもよく、さらにこのスイッチ操作部をトイレルームの壁面にも着脱可能としてもよい。この場合、このスイッチ操作部を手に持って使用したり、トイレ室の壁面に取り付けて使用したりすることができ、使い勝手がよい。
【００２５】
上記スイッチ操作部は、張出部４の上面と下面の両面に対して着脱可能としてもよい。この場合、張出部４が起立しているときは張出部４の下面にこのスイッチ操作部を取り付け、張出部４が倒状しているときは張出部４の上面にこのスイッチ操作部を取り付けて操作することができるため、張出部４の上面と下面の両面にスイッチ操作部を設ける必要がなく、コストの低減を図ることができる。
【００２６】
上記実施の形態では張出部４を上方に回動させて退避させる構成としているが、側方に水平旋回させて退避させる構成としてもよい。
【図面の簡単な説明】
【００２７】
【図１】実施の形態に係る便座ボックスを備えたトイレルーム内の斜視図である。
【図２】張出部と便座ボックスとの連結部の縦断面図である。
【符号の説明】
【００２８】
１  洋風便器
３  便座ボックス
４  張出部
【図１】
2005290904.tif 000003
【図２】
2005290904.tif 000004